(57)【要約】【課題】暗号化された音声データの再生応答性を向上する。【解決手段】暗号化されていないイントロダクション部分の音声データを記憶部１１に記憶する。音楽データを再生するときには、先ず、記憶部１１に記憶されたイントロダクション部分の音楽データを再生し、この音楽データを再生する間に暗号化データの復号及び再生等の前処理を行う。波形接続部２５は、イントロダクション部分の再生が終了する前にイントロダクション部分の再生波形と暗号化データから得られた再生波形とを接続する。【選択図】図２
2005114931.tif 000002
【特許請求の範囲】
【請求項１】
音楽データの先頭の一部が第１の符号化形式にて符号化された第１の符号化データを復号し第１の音響信号波形を生成する第１の音響信号波形生成手段と、
上記音楽データ主要部分が第２の符号化形式にて符号化された第２の符号化データを復号し第２の音響信号波形を生成する第２の音響信号波形生成手段と、
上記音響信号波形を音楽として再生する音楽再生手段と、
上記第１の音響信号波形生成手段にて生成した第１の音響信号波形を再生している間に、上記第２の音響信号波形生成手段にて第２の音響信号波形を生成するよう制御する復号制御手段と、
上記第１の音響信号波形と上記第２の音響信号波形とを時間軸上の所定位置にて接続する音響信号接続手段と
を備えることを特徴とする音楽データ再生装置。
【請求項２】
上記第１の符号化データは、上記音響圧縮符号化のみが施された音声データであり、上記第２の符号化データは、上記第１の符号化データに更なる暗号化が施された音楽データであって、
上記第２の音響信号波形生成手段は、上記第２の符号化データに対して所定の暗号化に対する暗号復号化と上記音響圧縮符号化とを施して上記第２の音響信号波形を生成することを特徴とする請求項１記載の音楽データ再生装置。
【請求項３】
上記音響信号接続手段は、時間軸上の所定位置の前後にて上記第１の音響信号波形を徐々に減衰するとともに上記第２の音響信号波形を徐々に増大することを特徴とする請求項１記載の音楽データ再生装置。
【請求項４】
上記音楽データを記憶する記憶手段と、
外部より音楽データを取得する音楽データ取得手段と、
上記取得した音楽データより先頭の一部分のデータを抽出するデータ抽出手段と、
上記抽出した音楽データの先頭の一部分を上記第１の符号化形式にて記憶する記憶制御手段とを備えることを特徴とする請求項１記載の音楽データ再生装置。
【請求項５】
上記第１の符号化データ及び第２の符号化データをネットワークを介して取得する通信手段を備え、
上記第１の符号化データには、音楽データの先頭の一部が第１の符号化形式にて符号化された第１の符号化データと、上記音楽データの先頭部分に続く主要部分が格納された格納場所と伝送形式とを指定する情報とが含まれ、
上記復号制御手段は、上記第１の音響信号波形生成手段にて生成した第１の音響信号波形を再生している間に、上記指定された上記音楽データの主要部分を取得し上記第２の音響信号波形生成手段にて第２の音響信号波形を生成するよう制御することを特徴とする請求項１記載の音楽データ再生装置。
【請求項６】
音楽データの先頭の一部が第１の符号化形式にて符号化された第１の符号化データを復号し第１の音響信号波形を生成する第１の音響信号波形生成工程と、
上記音楽データ主要部分が第２の符号化形式にて符号化された第２の符号化データを復号し第２の音響信号波形を生成する第２の音響信号波形生成工程と、
上記音響信号波形を音楽として再生する音楽再生工程と、
上記第１の音響信号波形と上記第２の音響信号波形とを時間軸上の所定位置にて接続する音響信号接続工程とを有し、
上記第１の音響信号波形生成工程にて生成した第１の音響信号波形を再生している間に、上記第２の音響信号波形生成工程にて第２の音響信号波形を生成する
ことを特徴とする音楽データ再生方法。
【請求項７】
上記第１の符号化データは、上記音響圧縮符号化のみが施された音声データであり、上記第２の符号化データは、上記第１の符号化データに更なる暗号化が施された音楽データであって、
上記第２の音響信号波形生成工程では、上記第２の符号化データに対して所定の暗号化に対する暗号復号化と上記音響圧縮符号化とを施して上記第２の音響信号波形を生成することを特徴とする請求項６記載の音楽データ再生方法。
【請求項８】
上記音響信号接続工程では、時間軸上の所定位置の前後にて上記第１の音響信号波形を徐々に減衰するとともに上記第２の音響信号波形を徐々に増大することを特徴とする請求項６記載の音楽データ再生方法。
【請求項９】
外部より音楽データを取得する音楽データ取得工程と、
上記取得した音楽データより先頭の一部分のデータを抽出するデータ抽出工程とを有し、
上記抽出した音楽データの先頭の一部分を上記第１の符号化形式にて記憶手段に記憶することを特徴とする請求項６記載の音楽データ再生方法。
【請求項１０】
上記第１の符号化データ及び第２の符号化データをネットワークを介して取得する通信工程を有し、
上記第１の符号化データには、音楽データの先頭の一部が第１の符号化形式にて符号化された第１の符号化データと、上記音楽データの先頭部分に続く主要部分が格納された格納場所と伝送形式とを指定する情報とが含まれ、
上記第１の音響信号波形生成工程にて生成した第１の音響信号波形を再生している間に、上記指定された上記音楽データの主要部分を取得し上記第２の音響信号波形生成工程にて第２の音響信号波形を生成するよう制御することを特徴とする請求項６記載の音楽データ再生方法。
【発明の詳細な説明】
【技術分野】
【０００１】
本発明は、暗号化された音楽データを再生する音楽データ再生装置、および暗号化された音楽を再生する音楽データ再生方法に関する。
【背景技術】
【０００２】
従来、パーソナルコンピュータやオーディオ機器等では、ＣＤ（コンパクトディスク）のような記録媒体から、若しくはネットワーク経由で楽曲データをコンピュータ内の記憶部に取り込んで、ジュークボックスのような機能を実現するソフトウェアが実用化されている。これらのソフトウェアでは、暗号化した音声データを記憶部に保存する。暗号化を施すことで、音声データの無制限なコピーを防ぐとともに、コンテンツ作成者の決めたルール、例えば、ポータブルオーディオへ音声データをコピーする回数を制限するなどの機能を実現し、著作権を保護した上での楽曲流通を行うことが可能となっている。
【０００３】
このような、音楽流通を行う情報再生装置としては、例えば、情報再生装置の固有のデバイス鍵と、記録メディアに固有のメディアＩＤとを基にコンテンツ情報を暗号化して記憶し、予め再生可能な再生鍵を持つ情報再生装置でのみコンテンツの再生を許可するというものがある（特許文献１参照。）。
【０００４】
しかしながら、暗号化を施すことにより、再生開始時に認証処理（暗号の復号化処理を含んだ権利確認のための処理）が必要になる。高性能のマシンでは、認証に要する時間はさほど長くはならないが、家庭用のオーディオプレーヤでは、認証処理に時間がかかってしまう。ユーザは曲が変わるごとに長い認証時間を待たなくてはならない。
【０００５】
【特許文献１】特開２００２−２６０３２６号公報
【発明の開示】
【発明が解決しようとする課題】
【０００６】
本発明は、暗号の復号化処理を含んだ権利確認のための処理を実行することによって起こる再生応答性の低下を防ぐことができる音楽データ再生装置及び音楽データ再生方法を提供することを目的とする。
【課題を解決するための手段】
【０００７】
音楽データの先頭の一部が第１の符号化形式にて符号化された第１の符号化データを復号し第１の音響信号波形を生成する第１の音響信号波形生成手段と、音楽データ主要部分が第２の符号化形式にて符号化された第２の符号化データを復号し第２の音響信号波形を生成する第２の音響信号波形生成手段と、音響信号波形を音楽として再生する音楽再生手段と、第１の音響信号波形生成手段にて生成した第１の音響信号波形を再生している間に、第２の音響信号波形生成手段にて第２の音響信号波形を生成するよう制御する復号制御手段と、第１の音響信号波形と第２の音響信号波形とを時間軸上の所定位置にて接続する音響信号接続手段とを備え、まず、第１の音響信号波形生成手段にて生成された音響信号波形を再生し、続いて第２の音響信号波形生成手段にて生成された音響信号波形を再生する。このとき、接続位置がユーザによって知覚されないように、音響信号接続手段にて第１の音響信号波形と第２の音響信号波形とを時間軸上の所定位置にて接続する。そのため、音響信号接続手段は、時間軸上の所定位置の前後にて第１の音響信号波形を徐々に減衰するとともに第２の音響信号波形を徐々に増大させて接続するとよい。
【０００８】
また、ここで特に第１の符号化データは、音響圧縮符号化のみが施された音声データであり、第２の符号化データは、第１の符号化データに更なる暗号化が施された音楽データである。そのため、第２の音響信号波形生成手段は、第２の符号化データに対して所定の暗号化に対する暗号復号化と音響圧縮符号化とを施して第２の音響信号波形を生成する。
【０００９】
この音楽データ再生装置は、さらに音楽データを記憶する記憶手段と、外部より音楽データを取得する音楽データ取得手段と、取得した音楽データより先頭の一部分のデータを抽出するデータ抽出手段と、抽出した音楽データの先頭の一部分を第１の符号化形式にて記憶する記憶制御手段とを備えれば、先頭部分のデータを常に用意できる。
【００１０】
また、この音楽データ再生装置は、第１の符号化データ及び第２の符号化データをネットワークを介して取得してもよい。この場合、ネットワークを介して通信する通信手段を設ける。このとき、第１の符号化データは、音楽データの先頭の一部が第１の符号化形式にて符号化された第１の符号化データであるとし、音楽データの先頭部分に続く主要部分が格納された格納場所と伝送形式とを指定する情報を含む。復号制御手段は、第１の音響信号波形生成手段にて生成した第１の音響信号波形を再生している間に、指定された音楽データの主要部分を取得し第２の音響信号波形生成手段にて第２の音響信号波形を生成するよう制御する。
【００１１】
また、本発明にかかる音楽データ再生方法は、音楽データの先頭の一部が第１の符号化形式にて符号化された第１の符号化データを復号し第１の音響信号波形を生成する第１の音響信号波形生成工程と、音楽データ主要部分が第２の符号化形式にて符号化された第２の符号化データを復号し第２の音響信号波形を生成する第２の音響信号波形生成工程と、音響信号波形を音楽として再生する音楽再生工程と、第１の音響信号波形と第２の音響信号波形とを時間軸上の所定位置にて接続する音響信号接続工程とを有し、第１の音響信号波形生成工程にて生成した第１の音響信号波形を再生している間に、第２の音響信号波形生成工程にて第２の音響信号波形を生成する。そのため、音響信号接続工程では、時間軸上の所定位置の前後にて第１の音響信号波形を徐々に減衰するとともに第２の音響信号波形を徐々に増大させて接続するとよい。
【発明の効果】
【００１２】
本発明にかかる音楽データ再生装置によれば、第１の符号化形式にて符号化された第１の符号化データと、第２の符号化形式にて符号化された第２の符号化データの両符号化が施された楽曲データを内蔵記録媒体に記録する際、楽曲データの先頭部分のみを暗号復号化したデータとして保持し、再生する際には、再生開始時の認証処理を実行している間に、この暗号復号化されたデータを再生するため、ユーザに再生応答性の低下を感じさせない。
【発明を実施するための最良の形態】
【００１３】
本発明は、ＣＤ（コンパクトディスク）のような記録媒体から、若しくはネットワーク経由で楽曲データを内蔵記録媒体に記憶して使用するパーソナルコンピュータやオーディオ機器等に適用できる。これらのような音楽データ再生装置は、ネットワークを介しての流通を前提として著作権保護の暗号化や、無制限なコピーを防止するための暗号化が施されたディジタルオーディオデータを再生できる仕組みを備えている。すなわち、本具体例にて扱う楽曲データは、記録部に記録する際の通常の音響圧縮符号化とコンテンツ管理のための暗号化とが施されていることになる。
【００１４】
本発明にかかる音楽データ再生装置は、この両符号化が施された楽曲データを内蔵記録媒体に記録する際、楽曲データの先頭部分（最初に再生される部分）のみを暗号復号化したデータとして保持し、再生する際には、再生開始時の認証処理（暗号の復号化処理を含んだ権利確認のための処理としての認証処理）を実行している間に、まずこの暗号復号化されたデータを再生することによって、再生応答性の低下を防止することを実現した。
【００１５】
本具体例では、コンテンツ管理のために所定の暗号化が施された音響圧縮符号化データを暗号化データとし、暗号復号化された音響圧縮符号化データを非暗号化データと記す。音響圧縮符号化データとしては、ＡＴＲＡＣ（登録商標）やＭＰ３（ＭＰＥＧ１ Audio Layer-3）等の方式にて圧縮符号化されたデータが挙げられる。
【００１６】
以下、図面を参照して本発明を適用した音楽データ再生装置１について説明する。図１に示すように音声再生装置１は、非暗号化データを生成する、すなわち所定の暗号化が施された音響圧縮符号化データに対して暗号復号化を施して音響圧縮符号化データを得る非暗号化データ生成部１０と、暗号化された楽曲データのファイルを記憶する記憶部１１と、再生開始時の認証と再生中に音響圧縮符号化された楽曲データが復号される音響圧縮データ復号部１２と、楽曲データのイントロダクション部分を抽出して音響圧縮復号処理を行って音響信号波形を得るイントロ抽出処理部１３と、所定の暗号化が施された音響圧縮符号化データに対して暗号復号化を施して音響圧縮符号化データを得、さらに音響圧縮復号処理を行って音響信号波形を得る通常の再生処理を実行する音楽データ再生処理部１４と、イントロ抽出処理部１３および音楽データ再生処理部１４から出力された２つの音響信号波形を時間軸で接続する波形接続部１５と、波形接続部１５にて接続された音楽データを出力する音声出力部１６と、プログラムや設定情報を記憶するＲＯＭ１７と、ＲＯＭ１７に記憶したプログラムに従い演算を行うＣＰＵ１８と、ＣＰＵ１８の作業領域としてのＲＡＭ１９とから構成される。
【００１７】
非暗号化データ生成部１０は、イントロ抽出処理部１３に制御されて、音響圧縮データ復号部１２にて抽出された楽曲データのイントロダクション部分に対して、暗号復号化処理を行う。暗号復号化された音響圧縮符号化データは、イントロ抽出処理部１３にて音響圧縮復号化され、音響信号波形となる。楽曲データのイントロダクション部分は、暗号復号化された状態で記憶部１１に蓄積されている。
【００１８】
また、音響圧縮データ復号部１２は、音楽データ再生処理部１４に制御されて、再生開始時の認証と再生中に音響圧縮符号化された楽曲データを復号して音響信号波形を生成している。復号された音響信号波形は、波形接続部１５にて、イントロ抽出処理部１３にて生成された音響信号波形と接続され、１つの信号波形として出力される。
【００１９】
波形接続部１５における音響信号波形の接続方法には、以下に示す２つの方法が考えられる。以下では音響信号波形を再生波形と記す。第１の方法は、図２（ａ）に示すように、特定の時刻Ｔ１で２つの波形を接続する方法である。この方法は、具体的には２つの再生波形をバイト境界で接続する方法である。この方法は、処理が簡便であるが、２つの波形の接続点で振幅にずれがあると接続点のノイズがユーザに知覚される程度になってしまうため、接続点における振幅ずれをなくすことが重要になる。
【００２０】
第２の方法は、図２（ｂ）に示すように特定の時刻Ｔ２の周辺で２つの波形をクロスフェードして接続する方法である。波形接続部１５は、時刻Ｔ２の手前になると、非暗号化音声データの再生波形の音量（出力）を小さくしながら暗号化音声データの再生波形の音量を大きくする。第２の方法では、２つの波形をオーバラップさせるためにオーバラップ部分に相当するデータ量が必要となるが、波形が滑らかに接続されるという利点がある。
【００２１】
再生波形を接続する特定の時刻は、以下のように決定するとよい。図３は、暗号化音声データと非暗号化音声データの再生処理を模式的に示す。図３の始点はユーザが再生開始を指示した時刻である。ユーザが音声の再生を指示すると、音声再生装置１は、非暗号化データの再生処理と、暗号化データの復号処理を同時に開始する。イントロ抽出処理部１３におけるイントロダクション部分の再生処理にかかる時間をＤｉ、イントロダクション部分の非暗号化データの再生時間をＴｉとすると、ユーザが再生開始を指示してからイントロダクション部分の全ての非暗号化データの再生を終了するまでの時間はＤｉ＋Ｔｉとなる。
【００２２】
一方、音楽データ再生処理部１４において暗号の復号化処理を含んだ権利確認のための処理としての認証処理にかかる時間をＴａ、音楽データ再生処理部１４において所定の暗号化が施された音響圧縮符号化データに対して暗号復号化を施して音響圧縮符号化データを得、さらに音響圧縮復号処理を行って音響信号波形を得るまでにかかる時間をＤｐとすると、暗号化データの再生を開始するまでに要する時間は、Ｔａ＋Ｄｐとなる。
【００２３】
したがって、イントロダクション部分の非暗号化データの再生が終了する前に暗号化データの再生が開始されなければならないため、非暗号化データの再生時間と暗号化データの再生時間とは、式（１）に示す関係を満たす必要がある。
【００２４】
Ｔｉ＋Ｄｉ≧Ｔａ＋Ｄｐ  ・・・  （１）
【００２５】
上述した条件を満足していれば、第１の方法にて波形を接続するとき、記憶部１１は、イントロダクション部分の非暗号化データの再生時間に相当する暗号化データを記憶する必要はなく、非暗号化データとの接続時間以降の暗号化データが記憶されていればよい。一方、上述した第２の方法で波形を接続するとき、記憶部１１は、非暗号化データと暗号化データとをフェードイン・フェードアウトによって滑らかに接続するために、いわゆる“糊代部分”を重複して記憶しておく必要がある。
【００２６】
記憶部１１に保持するイントロダクション部分の非暗号化データは、（１）音響圧縮符号化前のデータをＰＣＭ（Pulse Code Modulation）データとして用意する場合、（２）上述の例にて示したように暗号化データを暗号復号化して得た音響圧縮符号化データをＰＣＭデータとして用意する場合、（３）暗号化していない音響圧縮符号化データを用意する場合が挙げられる。
【００２７】
ＰＣＭデータは、アナログの音楽データをサンプリングしデジタルの音声データに変換したものである。すなわち、（１）で用意するＰＣＭデータは、音源をサンプリングしたＰＣＭデータであり、（２）で用意するＰＣＭデータは、音源をサンプリングしたＰＣＭデータにさらに圧縮および復号処理を施したＰＣＭデータである。音声データを圧縮すると音質が劣化するため、音源をサンプリングしただけのＰＣＭデータと符号化復号化処理されたデータとを接続すると接続時点で音質の劣化が生じることになる。
【００２８】
ここでの音響圧縮符号化方式が記憶部１１に記憶されている暗号化データの符号化方式と同一であることを前提とすると、（１）のデータは、復号化処理を経てきた音楽データ再生処理部１４から出力された音響信号波形と比べると音質差が生じるため、条件によってユーザに知覚されることがある。
【００２９】
また、（３）のデータは、接続点での音質差に差はないが、イントロ抽出処理部１３にて音響圧縮復号処理を行うためＤｉ値が大きくなり、再生処理時の即時応答性が若干低下する。また、イントロ部分のデータの音響圧縮符号化方式が記憶部１１に記憶されている暗号化データの符号化方式と同一でない場合、接続点での音質差が現れることがある。
【００３０】
これに対して、（２）のデータは、イントロ抽出処理部１３および音楽データ再生処理部１４から出力された２つの再生波形に音質差がない。したがって、イントロダクション部分の非暗号化データとしてこのデータを使用することが好ましい。
【００３１】
次いで、図４を参照して上述した音声再生装置１の動作について説明する。
ユーザが音声データの再生開始を指示すると、音声再生装置１は、非暗号化データを検索する。そして、非暗号化データが記憶部１１に存在するときは（ステップＳ１１；ＹＥＳ）、まず、非暗号化データを再生し、その後、暗号化データを再生する。非暗号化データの再生は、イントロ抽出処理部１３と音声出力部１６とで実行される。イントロ抽出処理部１３は、非暗号化データに音響圧縮復号処理を施し再生波形に変換する（ステップＳ１２）。音声出力部１６は、イントロ抽出処理部１３が生成した再生波形を音に変換して出力する（ステップＳ１３）。
【００３２】
暗号化データの再生は、音響圧縮データ復号部１２と、音楽データ再生処理部１４と、音声出力部１６とで実行される。音楽データ再生処理部１４は、非暗号化データ生成部１０によって暗号化データを暗号復号化し（ステップＳ１４）、得られた音響圧縮符号化データを音響圧縮データ復号部１２によって再生波形に変換する（ステップＳ１５）。波形接続部１５は、非暗号化データの再生時間が終了する前に、非暗号化データから得られる再生波形と暗号化データから得られる再生波形とを接続する（ステップＳ１６）。以後、音声出力部１６は、音楽データ再生処理部１４から入力した再生波形を音に変換して出力する（ステップＳ１７）。
【００３３】
一方、ステップＳ１１において、記憶部１１に非暗号化データが存在しないときには（ステップＳ１１；ＮＯ）、暗号化データの再生とともにイントロダクション部分の非暗号化データの生成を行う。音楽データ再生処理部１４は、通常の再生処理として所定の暗号化が施された音響圧縮符号化データに対して暗号復号化を施して音響圧縮符号化データを得る（ステップＳ２１）。一方、イントロ抽出処理部１３は、楽曲データのイントロダクション部分を抽出し、非暗号化データ生成部１０によって暗号復号化して得られたイントロダクション部分の音響圧縮符号化データを記憶部１１に記憶させる（ステップＳ２２）。非暗号化データを記憶部１１に記憶すると、次回以降の再生処理では、この記憶部１１に記憶した非暗号化データを再生することができる。本具体例では、ここで記憶しておくイントロダクション部分の非暗号化データは、既に暗号復号化処理が施されているので再生開始に要する時間が短縮される。
【００３４】
さらに音楽データ再生処理部１４は、音響圧縮データ復号部１２によって再生開始時の認証と再生中に音響圧縮符号化された楽曲データを復号して再生波形を生成する（ステップＳ２３）。音声出力部１６は、音楽データ再生処理部１４から入力した再生波形を音に変換して出力する（ステップＳ２４）。
【００３５】
以上説明したように、音楽データ再生装置１は、ユーザが楽曲データの再生開始を指示すると、記憶部１１に格納されたイントロダクション部分の音響圧縮符号化データの再生処理と暗号化データの復号化処理とを同時に開始する。そして、音楽データ再生装置１は、暗号化データが復号化され音響信号波形が得られると、先に再生されていたイントロダクション部分の音響圧縮符号化データから復号した音響信号波形が終了する前に、暗号化データから得た音響信号波形を接続して通常の楽曲データ再生に移る。これにより、ユーザにとっては、音楽データ再生装置１が再生開始時の認証処理を実行することによって起こる再生応答性の低下が気にならなくなる。
【００３６】
次いで、本発明の別の具体例として、ネットワークストリーミングで音声データを受信する場合について図５を参照して説明する。従来のネットワークストリーミングでは、コンテンツデータの配信を受ける機器（クライアント機器）は、再生開始時にネットワーク経由で取得したデータをある程度蓄えてから再生するバッファリング処理が必要になるため、コンテンツデータを取得してから再生開始までの処理にある程度の時間を要していた。そこで、本発明は、イントロダクション部分のコンテンツデータと、このイントロダクション部分を含むコンテンツデータ全体のネットワーク上の格納場所を示したアドレスとを最初にクライアント機器に提供することによって、この再生開始処理の短縮を図った。
【００３７】
図５に示す音楽データ再生装置２は、ネットワークを介してサーバに接続されている。サーバには、イントロダクション部分の音響圧縮符号化データ（以下、イントロ情報と記す。）を蓄積するイントロ情報転送サーバ３１と、音楽データ全体のファイルを格納したコンテンツデータ転送サーバ３２とがある。この２つのサーバは、同一サーバであって両者の機能を有するものであってもよい。ここでのネットワークは、限定された範囲内で構築するＬＡＮ（Local Area Network）でもよいし、外部ネットワークでもよい。外部ネットワークには、例えば、インターネットがある。
【００３８】
音楽データ再生装置２は、各サーバからイントロ情報および音楽データ全体であるコンテンツデータを受信する通信制御部２１と、イントロ情報に対して音響圧縮復号処理を行って音響信号波形を得るイントロ再生処理部２２と、コンテンツデータ転送サーバ３２から受信したコンテンツデータを一時的に格納するバッファ２３と、バッファ２３に格納したコンテンツデータに対して音響圧縮復号処理を行って音響信号波形を得る音楽データ再生処理部２４と、イントロ再生処理部２２および音楽データ再生処理部２４から出力された音響信号波形を接続する波形接続部２５と、音響信号波形を音として出力する音声出力部２６と、プログラムや設定情報を記憶するＲＯＭ２７と、ＲＯＭ２７に記憶したプログラムに従い演算を行うＣＰＵ２８と、ＣＰＵ２８の作業領域としてのＲＡＭ２９とから構成される。
【００３９】
一般にストリーミングデータを再生するときには、ストリーミングデータを受信する時間と、受信したストリーミングデータに再生前処理を施す時間が必要であるが、音楽データ再生装置２では、まず、イントロ情報転送サーバ３１から提供されるイントロダクション部分の音楽データを再生し、イントロダクション部分の音楽データを再生しながら音楽データ全体であるコンテンツデータを受信するとともに受信した音楽データに音響圧縮復号処理等の再生前処理とを施す。
【００４０】
以下、図６を参照しながら音楽データ再生装置２の動作を説明する。ユーザがストリーミングデータの再生開始を指示すると、音楽データ再生装置２は、イントロ情報転送サーバ３１にアクセスし、イントロダクション部分の音響圧縮符号化データのファイルと、この音楽データ全体の格納場所を示す情報（ＵＲＬ；Uniform Resource Locator）とを受信する（ステップＳ３１）。ＵＲＬにより、コンテンツデータ転送サーバ３２と通信するための伝送プロトコルが特定される。
【００４１】
音楽データ再生装置２は、伝送プロトコルを特定するとコンテンツデータ転送サーバ３２にコンテンツデータの転送を要求する（ステップＳ３２）。音楽データ再生装置２は、コンテンツデータ転送サーバ３２からの応答を待機し応答を受信すると（ステップＳ３３；ＹＥＳ）、応答がエラー応答か否かを判断する（ステップＳ３４）。一方、応答時間が経過しても応答を受信しない場合には（ステップＳ３５；ＹＥＳ）、応答時間切れとしてコンテンツデータ受信処理を終了する。応答がなくても（ステップＳ３３；ＮＯ）、応答時間が経過しない間は応答を待機する（ステップＳ３５；ＮＯ）。
【００４２】
音楽データ再生装置２は、ステップＳ３４における応答がエラー応答であるときには（ステップＳ３４；ＹＥＳ）、受信処理が失敗したものと判断する。一方、応答がエラー応答でない場合には（ステップＳ３４；ＮＯ）、音楽データ再生装置２は、音楽データを含むパケットを受信しバッファ２３に格納する。音楽データ再生装置２は、バッファ２３に格納したコンテンツデータを復号し、再生波形に変換する。再生波形に変換されたデータは、再度バッファ２３に格納される。（ステップＳ３６）。音楽データ再生装置２は、受信が完了しない間は（ステップＳ３７；ＮＯ）、コンテンツデータ転送サーバ３２にパケットの送信を要求し（ステップＳ３２）、全てのパケットを受信すると（ステップＳ３７；ＹＥＳ）、ステップＳ４０に処理を移行する。
【００４３】
音楽データ再生装置２は、ステップＳ３２〜ステップＳ３７のコンテンツデータの受信処理と同時にイントロダクション部分の音楽データの再生処理を実行する。イントロダクション部分の音楽データの再生処理では、まず、イントロ再生処理部２２がイントロ情報に対して音響圧縮復号処理を行って再生波形を得る（ステップＳ３８）。音声出力部２７は、この再生波形を音に変換して出力する（ステップＳ３９）。
【００４４】
波形接続部２６は、ステップＳ３８で生成されたイントロダクション部分の音響符号化データの再生波形と、ステップＳ３２〜ステップＳ３７で音響復号化されたコンテンツデータの再生波形とを接続する（ステップＳ４０）。以後、音声出力部２７は、コンテンツデータの再生波形を音に変換して出力する（ステップＳ４１）。
【００４５】
このように、上述した音楽データ再生装置２は、イントロダクション部分の音楽データの再生と、この音楽データ全体であるコンテンツデータの受信及び音響復号処理とを同時に行う。これによりユーザは、コンテンツデータの受信、復号処理にかかる時間を待つことなく直ぐに再生音声を聴くことができる。
【００４６】
以上説明したように、本発明は、音声データのイントロダクション部分をイントロ情報転送サーバ３１に用意することによって、コンテンツデータ全体の受信と復号処理の待機時間にイントロダクション部分を再生することができる。また、本発明を用いると、イントロダクション部分の再生応答性がよくなることを利用して、意図的に一定時間の無音部分を挿入することが可能となる。これにより、楽曲の連続再生時に一定の無音部分（曲間）をはさみながら再生する際に有効となる。
【産業上の利用可能性】
【００４７】
本発明は、例えば、コンテンツを再生する或いは取得する際に暗号復号化や認証処理等、所定時間を要する処理が必要となる装置等に適用できる。このような場合にイントロダクション部分のデータを処理負荷の低い状態で予め用意しておけば、暗号復号化や認証処理を併行してイントロダクション部分のデータを再生することができ、ユーザが長らく待機状態で待たされるということがない。ユーザの体感する再生応答性が向上する。
【図面の簡単な説明】
【００４８】
【図１】音楽データ再生装置の構成を示すブロック図である。
【図２】非圧縮データと圧縮データとの接続部分を模式的に示す概念図である。
【図３】非圧縮データの再生時間と圧縮データの再生時間との関係を示す図である。
【図４】音楽データ再生装置の動作を示すフローチャートである。
【図５】ストリーミングデータを再生する音楽データ再生装置の構成を示すブロック図である。
【図６】ストリーミングデータを再生するときの処理手順を示すフローチャートである。
【符号の説明】
【００４９】
１  音楽データ再生装置、  １１    記憶部、  １２    音響圧縮データ復号部、
１３    イントロ抽出処理部、  １４    音楽データ再生処理部、  １５    波形接続部、
１６    音声出力部、  ２    音楽データ再生装置、  ２１    通信制御部、
２２    イントロ再生処理部、  ２３    バッファ、  ２４    音楽データ再生処理部、
２５    波形接続部、  ２６    音声出力部、  ３１    イントロ情報転送サーバ、
３２    コンテンツデータ転送サーバ
【図１】
2005114931.tif 000003
【図２】
2005114931.tif 000004
【図３】
2005114931.tif 000005
【図４】
2005114931.tif 000006
【図５】
2005114931.tif 000007
【図６】
2005114931.tif 000008